(57)【要約】【課題】建物開口部に設けられるサッシ（窓）などの開口部装置について、カビの発生を直接的に防止するための抗菌装置について提案する。【解決手段】室外側サッシ１と室内側サッシ２の間に閉鎖空間４が構成され、両者の間に形成される空間が閉鎖空間４として構成され、この閉鎖空間４において空気層が形成されることにより、この空気層による断熱効果によって、室外側サッシ１のガラス面１０や、サッシ上枠１１などへの結露の発生防止が図られる構成となっている。閉鎖空間４の内部には、抗菌装置３０が配置されており、この抗菌装置３０から放出される抗菌成分Ｋによって、閉鎖空間４内におけるカビ発生が防止されるようになっている。【選択図】図１
2012041769.tif 000002
【特許請求の範囲】
【請求項１】
建物開口部に設置される開口部装置と、前記開口部装置で仕切られる一側空間に設置される遮蔽装置と、の間に形成される閉鎖空間に、抗菌成分が放出される、建物開口部の構造。
【請求項２】
前記抗菌成分は、前記遮蔽装置の開閉に連動して放出、又は、放出の停止が行われるものであり、前記閉鎖空間が形成された場合にのみ前記抗菌成分の放出が行われる、
ことを特徴とする請求項１に記載の建物開口部の構造。
【請求項３】
前記抗菌成分は、イソチオシアン酸エステルとする、
ことを特徴とする請求項１又は請求項２に記載の建物開口部の構造。
【請求項４】
前記開口部装置と前記遮蔽装置の間であって、前記閉鎖空間に対して前記抗菌成分が流入され得る位置に、前記抗菌成分を放出するための抗菌装置が配置され、前記抗菌装置に対して着脱可能に設けられるカートリッジ式容器に、前記抗菌成分をとして含む抗菌剤が入れられる構成とする、
ことを特徴とする請求項１乃至請求項３のいずれか一項に記載の建物開口部の構造。
【請求項５】
前記開口部装置は、サッシ、障子、ドア、シャッター、のいずれか一つであって、
前記遮蔽装置は、サッシ、障子、ドア、のいずれか一つである、
ことを特徴とする請求項１乃至請求項４のいずれか一項に記載の建物開口部の構造。
【請求項６】
建物開口部に設置される開口部装置と、前記開口部装置で仕切られる一側空間に設置される遮蔽装置と、の間に形成される閉鎖空間に、抗菌成分を放出するための抗菌装置であって、
前記抗菌成分は、前記遮蔽装置の開閉に連動して放出、又は、放出の停止が行われるものであり、前記閉鎖空間が形成された場合にのみ前記抗菌成分の放出が行われる構成とし、
前記抗菌成分は、イソチオシアン酸エステルであって、
前記抗菌装置に対して着脱可能に設けられるカートリッジ式容器に、前記抗菌成分をとして含む抗菌剤が入れられる構成とする、建物開口部用の抗菌装置。
【請求項７】
建物開口部に設置される開口部装置と、前記開口部装置で仕切られる一側空間に設置される遮蔽装置と、の間に形成される閉鎖空間に、抗菌成分が放出される、建物開口部のカビ発生防止方法。
【発明の詳細な説明】
【技術分野】
【０００１】
本発明は、建物のサッシのガラス面や枠などへのカビの発生を防止する技術に関する。
【背景技術】
【０００２】
従来、建物開口部に設けられるサッシ（窓）などの開口部装置においては、ガラスの室内側面に発生する結露に起因するカビの発生が問題とされており、この結露対策について開示する文献も存在する（例えば、特許文献１、２参照。）。
【０００３】
特許文献１は、窓を外側と内側に二重に配置する二重窓の構成について開示するものであり、二重窓の間の空間に形成される空気層の気密性を高めることによって、結露発生を防止することについて記載がされている。
【０００４】
特許文献２は、既存のガラスの室内側面に貼付する結露防止シートについて開示するものであり、結露防止シートに設けられる空気封入領域によって空気層を形成し、結露発生を防止することについて記載がされている。
【先行技術文献】
【特許文献】
【０００５】
【特許文献１】特開２００７−３３２６５１号公報
【特許文献２】特開２００９−１４４３７６号公報
【発明の概要】
【発明が解決しようとする課題】
【０００６】
以上に説明した従来技術においては、結露発生を防止する手段として空気層を設けるものであるが、これらの技術を用いた場合であっても、結露の発生を完全に防止できるとはいい難いものである。このことから、カビの発生をより確実に防止する観点からは、結露発生の防止を図ることとは別に、カビの発生を防止するための新たな手段が待ち望まれていた。
【０００７】
そこで、本発明は、以上の問題点に鑑み、建物開口部に設けられるサッシ（窓）などの開口部装置について、カビの発生を直接的に防止するための抗菌装置について提案するものである。
【０００８】
また、カビ発生の防止を室内側において行うため、抗菌成分を使用する場合には、室内において実施した場合でも問題が生じない抗菌成分を使用することが必要となる。また、その抗菌成分による効果の持続性や、メンテナンス性が考慮されるべきである。
【０００９】
そこで、本発明の他の課題は、開口部装置の室内側でのカビの発生防止に適した抗菌成分を採用するとともに、効果の持続性に優れ、メンテナンス性に優れた構成を提案する。
【課題を解決するための手段】
【００１０】
本発明の解決しようとする課題は以上の如くであり、次にこの課題を解決するための手段を説明する。
【００１１】
即ち、請求項１に記載のごとく、
建物開口部に設置される開口部装置と、前記開口部装置で仕切られる一側空間に設置される遮蔽装置と、の間に形成される閉鎖空間に、抗菌成分が放出される、建物開口部の構造、とするものである。
【００１２】
また、請求項２に記載のごとく、
前記抗菌成分は、前記遮蔽装置の開閉に連動して放出、又は、放出の停止が行われるものであり、前記閉鎖空間が形成された場合にのみ前記抗菌成分の放出が行われる、こととするものである。
【００１３】
また、請求項３に記載のごとく、
前記抗菌成分は、イソチオシアン酸エステルとする、ものである。
【００１４】
また、請求項４に記載のごとく、
前記開口部装置と前記遮蔽装置の間であって、前記閉鎖空間に対して前記抗菌成分が流入され得る位置に、前記抗菌成分を放出するための抗菌装置が配置され、前記抗菌装置に対して着脱可能に設けられるカートリッジ式容器に、前記抗菌成分をとして含む抗菌剤が入れられる構成とする、ものである。
【００１５】
また、請求項５に記載のごとく、
前記開口部装置は、サッシ、障子、ドア、シャッター、のいずれか一つであって、
前記遮蔽装置は、サッシ、障子、ドア、のいずれか一つである、
こととするものである。
【００１６】
また、請求項６に記載のごとく、
建物開口部に設置される開口部装置と、前記開口部装置で仕切られる一側空間に設置される遮蔽装置と、の間に形成される閉鎖空間に、抗菌成分を放出するための抗菌装置であって、
前記抗菌成分は、前記遮蔽装置の開閉に連動して放出、又は、放出の停止が行われるものであり、前記閉鎖空間が形成された場合にのみ前記抗菌成分の放出が行われる構成とし、
前記抗菌成分は、イソチオシアン酸エステルであって、
前記抗菌装置に対して着脱可能に設けられるカートリッジ式容器に、前記抗菌成分をとして含む抗菌剤が入れられる構成とする、建物開口部用の抗菌装置、とするものである。
【００１７】
また、請求項７に記載のごとく、
建物開口部に設置される開口部装置と、前記開口部装置で仕切られる一側空間に設置される遮蔽装置と、の間に形成される閉鎖空間に、抗菌成分が放出される、建物開口部のカビ発生防止方法、とするものである。
【発明の効果】
【００１８】
本発明の効果として、以下に示すような効果を奏する。
【００１９】
即ち、請求項１に記載の発明においては、
閉鎖空間におけるカビ発生を防止することが可能となる。
【００２０】
また、請求項２に記載の発明においては、
遮蔽装置が開かれた際には、抗菌成分の放出がなされないため、抗菌成分の無駄な放出を無くすことができる。
【００２１】
また、請求項３に記載の発明においては、
室内空間に抗菌成分が放出されたとしても、特段の問題が生じるものではない。
【００２２】
また、請求項４に記載の発明においては、
抗菌成分の放出量が減少した際には、カートリッジ式容器を交換することで、メンテナンスを容易に行うことができる。
【００２３】
また、請求項５に記載の発明においては、
開口部装置と遮蔽装置によって閉鎖空間が形成される様々な組み合わせについて、本発明を適用することが可能であり、閉鎖空間においてカビ発生を防止することが可能となる。また、開口部装置の周囲において抗菌成分が充満することにより、この抗菌成分を嫌う害虫を遠ざけることが可能となり、開口部装置を開放した場合において、害虫の侵入を効果的に防ぐ防虫効果が得られることになる。
【００２４】
また、請求項６に記載の発明においては、
抗菌装置を設置することにより、閉鎖空間におけるカビ発生を防止することが可能となる。
【００２５】
また、請求項７に記載の発明においては、
閉鎖空間におけるカビ発生を防止することが可能となる。
【図面の簡単な説明】
【００２６】
【図１】実施例の構成について説明する縦断面図。
【図２】（ａ）は抗菌成分が閉鎖空間内に充満する状態について説明する正面図。（ｂ）は室内側サッシが開かれた際の状況について示す正面図。
【図３】（ａ）は室内側サッシが閉じられた際における抗菌装置の状況について示す平面図。（ｂ）は室内側サッシが閉じられた際における抗菌装置の状況について示す正面図。
【図４】（ａ）は室内側サッシが開かれた際における抗菌装置の状況について示す平面図。（ｂ）は室内側サッシが開かれた際における抗菌装置の状況について示す正面図。
【発明を実施するための形態】
【００２７】
本発明は、建物開口部の内外の空間を区切るための開口部装置について、その室内側での結露などに伴う湿気によるカビ発生を防止するための技術であり、開口部装置としては、サッシ（窓）、障子、ドア、シャッター、などのあらゆる開口部装置が対象となり得るものである。
【００２８】
そして、建物開口部に設置される開口部装置と、開口部装置で仕切られる一側空間に設置される遮蔽装置と、の間に形成される閉鎖空間に、抗菌成分が放出される、建物開口部の構造、及び、そのカビ発生防止方法とすることによって、この閉鎖空間におけるカビ発生を防止することが可能となる。遮蔽装置としては、サッシ（窓）、障子、ドア、などであって、室内に配置されることを前提とするものが対象となり得る。
【００２９】
また、抗菌成分は、イソチオシアン酸エステルとするものである。イソチオシアン酸エステルは、例えば、ＡＩＴ（アリルイソチオシアネート）として市販されるものが選択され得る。このＡＩＴは、カビ（青カビ、ススカビなど）の発生を防ぐ抗菌作用を発揮するものとして広く知られ、古くから食されているワサビやカラシなどに含まれる成分であり、室内空間に抗菌成分が放出されたとしても、特段の問題が生じるものではない。
【００３０】
また、抗菌成分によってカビ発生を防止できる効果が得られることに加え、防虫の効果も得られることができる。つまり、開口部装置の周囲において抗菌成分が充満することにより、この抗菌成分を嫌う害虫を遠ざけることが可能となり、開口部装置を開放した場合において、害虫の侵入を効果的に防ぐ防虫効果が得られることになる。
【００３１】
以下、具体的な実施の形態について、実施例を用いて説明する。
【００３２】
図１乃至図４に示すごとく、本実施例は、開口部装置としての引き違いの室外側サッシ１と、その室内側の空間に配置される遮蔽装置としての引き違いの室内側サッシ２とから、いわゆる二重窓が構成される場合において、本発明を適用するものである。
【００３３】
また、図１及び図２に示すごとく、建物開口部３においては、室外側サッシ１と室内側サッシ２の間に閉鎖空間４が構成され、両者の間に形成される空間が閉鎖空間４として構成され、この閉鎖空間４において空気層が形成されることにより、この空気層による断熱効果によって、室外側サッシ１のガラス面１０や、サッシ上枠１１などへの結露の発生防止が図られる構成となっている。
【００３４】
また、図１及び図２に示すごとく、閉鎖空間４の内部には、抗菌装置３０が配置されており、この抗菌装置３０から放出される抗菌成分Ｋによって、閉鎖空間４内におけるカビ発生が防止されるようになっている。つまり、上述のように、ガラス面１０などの結露の発生防止が図られるものの、仮に結露が生じた場合であっても、抗菌成分Ｋによってカビ発生を防止できるようになっている。
【００３５】
また、図１及び図２に示すごとく、抗菌成分Ｋは、イソチオシアン酸エステルとするものである。イソチオシアン酸エステルは、例えば、ＡＩＴ（アリルイソチオシアネート）として市販されるものが選択され得る。このＡＩＴは、カビ（青カビ、ススカビなど）の発生を防ぐ抗菌作用を発揮するものとして広く知られ、古くから食されているワサビやカラシなどに含まれる成分であって、室内側サッシ２が開かれて、室内空間に抗菌成分が放出されたとしても、特段の問題が生じるものではない。
【００３６】
また、図３及び図４に示すごとく、抗菌装置３０は、抗菌成分Ｋを有効成分として含む抗菌剤が入れられるカートリッジ式容器３１と、このカートリッジ式容器３１が着脱可能にセットされる略箱状のホルダー３２を有する構成としている。ホルダー３２は、建物開口部３の天井部３ａに設置されている。また、カートリッジ式容器３１が交換可能に設けられることで、抗菌剤が消耗し、抗菌成分Ｋの放出量が減少した際には、カートリッジ式容器３１を交換することで、メンテナンスを容易に行うことができる。
【００３７】
また、図３に示すごとく、ホルダー３２の上下寸法３２Ｈは、室内側サッシ２の上枠２１の上下幅２１Ｈよりも小さく構成されることが好ましい。これにより、ホルダー３２（抗菌装置３０）が、上枠２１の裏側に隠されるように配置することが可能となる。
【００３８】
また、図１に示すごとく、抗菌装置３０は、室外側サッシ１と室内側サッシ２の間であって、閉鎖空間４に抗菌成分が流入され得る位置に配置されている。本実施例では、抗菌装置３０は、建物開口部３の天井部３ａに吊り下げられるように設けられる構成としている。なお、このように建物開口部３の天井部３ａに設けることとするほか、建物開口部３の底面部３ｂに設けることとしてもよく、また、天井部３ａと底面部３ｂの両方に設けることとしてもよい。さらには、建物開口部３の側部３ｃ・３ｄ（図２（ａ）参照）の位置に、抗菌装置を設けることとしてもよい。
【００３９】
また、図３及び図４に示すごとく、カートリッジ式容器３１は、蓋のない密閉状容器の形態や、蓋を設けて抗菌剤の補充を可能とする容器などが考えられる。また、カートリッジ式容器３１の素材は、抗菌成分Ｋであるイソチオシアン酸エステルを透過させて放出するために、ポリエチレンやポリプロピレンなどにて構成することが考えられる。これにより、自然に抗菌成分Ｋが放出されるため、電力が不要なエコロジーな実施形態を実現することができる。
【００４０】
また、図３及び図４に示すごとく、ホルダー３２の側面３２ａには、放出口３２ｂと、この放出口３２ｂを開閉する開閉扉３２ｃが設けられており、この開閉扉３２ｃが開かれた際には、ホルダー３２の内部空間３２ｄに充満した抗菌成分Ｋが放出口３２ｂから閉鎖空間４へと放出されるようになっている。なお、放出口３２ｂが閉じた際に抗菌成分Ｋが自然に放出されないように、ホルダー３２の素材は、例えば、ナイロン、ポリエステルや金属（アルミニウム、ステンレス）にて構成されることが好ましい。
【００４１】
また、図３及び図４に示すごとく、放出口３２ｂの開閉扉３２ｃには、室内側サッシ２が閉じられる際に、サッシ上枠２１に設けた突起部２１ｅと係合するための突起部３２ｅが設けられている。また、開閉扉３２ｃは、放出口３２ｂを閉じる方向にスライド移動するように、図示せぬばね機構によって付勢されている。
【００４２】
以上の構成により、図３（ａ）（ｂ）に示すごとく、室内側サッシ２が閉じられる際には、サッシ上枠２１に設けた突起部２１ｅが開閉扉３２ｃの突起部３２ｅに係合することで、ばね機構の付勢力に抗して開閉扉３２ｃがスライド移動し、放出口３２ｂが開かれる。これにより、室内側サッシ２が閉じられた状態では、室外側サッシ１と室内側サッシ２の間に形成される閉鎖空間４に抗菌成分Ｋが放出され、この抗菌成分Ｋによって閉鎖空間４内におけるカビ発生を防止することが可能となる。
【００４３】
一方、図４（ａ）（ｂ）に示すごとく、室内側サッシ２が開かれた際には、サッシ上枠２１の突起部２１ｅと開閉扉３２ｃの突起部３２ｅの係合が解除されることで、図示せぬばね機構により、開閉扉３２ｃが閉じられ、放出口３２ｂから抗菌成分Ｋが放出されないこととなる。このように、室内側サッシ２が開かれた際には、抗菌成分Ｋの放出がなされないため、抗菌成分Ｋの無駄な放出を無くすことができる。つまり、抗菌成分Ｋは、室内側サッシ２の開閉に連動して放出、又は、放出の停止が行われるものであり、室内側サッシ２が閉じられて閉鎖空間４が形成された場合にのみ、抗菌成分Ｋの放出が行われる構成となる。
【産業上の利用可能性】
【００４４】
本発明は、開口部装置と遮蔽装置の間に閉鎖空間が構成される場合において、閉鎖空間におけるカビ発生を防止するための技術であり、開口部装置としては、サッシ（窓）、障子、ドア、シャッター、などが考えられ、遮蔽装置としては、サッシ（窓）、障子、ドア、などであって、室内に配置されることを前提とするものが考えられる。
【符号の説明】
【００４５】
１    室外側サッシ
２    室内側サッシ
３    建物開口部
４    閉鎖空間
１０    ガラス面
１１    サッシ上枠
２１    サッシ上枠
３０    抗菌装置
３１    カートリッジ式容器
３２    ホルダー
４０    抗菌装置
Ｋ    抗菌成分
Ｚ    抗菌剤
【図１】
2012041769.tif 000003
【図２】
2012041769.tif 000004
【図３】
2012041769.tif 000005
【図４】
2012041769.tif 000006